(57)【特許請求の範囲】
【請求項１】
単数若しくは複数の金属線からなる編組交差部を塑性変形せしめたことを特徴とする電磁波シールド用金属線編組スリーブ。
【請求項２】
前記金属線は、線径φ０．１〜０．３ミリの軟質銅線、錫メッキ軟質銅線、アルミ線又はステンレス線の何れか一種若しくは二種以上の組み合わせで編組されることを特徴とする請求項１に記載の電磁波シールド用金属線編組スリーブ。
【請求項３】
上下動心金を上下動させながらその周りに金属線を編組する工程と、上下動心金のショルダー部を所定のタイミングで金属線の各編組交差部に押圧しながら塑性変形せしめる工程とを有することを特徴とする電磁波シールド用金属線編組スリーブの製造方法。
【請求項４】
前記上下動心金は、所定径のストレート部と、該ストレート部に小径部を介して連設されたショルダー部とを備えてなることを特徴とする請求項３に記載の電磁波シールド用金属線編組スリーブの製造方法。
【発明の詳細な説明】
【０００１】
【発明の属する技術分野】
本発明は、電子機器、電気機器、ケーブル線及びこれらの中間に使用される中間部品に対して受動的、能動的に不用電磁波を遮断する有用な電磁波シールド用金属線編組スリーブに関する。
【０００２】
【従来の技術】
最近のエレクトロニクス技術の進歩で、家電製品、電子機器製品、携帯電話をはじめとするコンスーマー製品が私達の身の回りにあふれている。これらの電子機器は、量的拡大だけではなく質的な変化も見逃せない。
【０００３】
その質的変化の一つとしてデジタル化が挙げられる。デジタル化は、アナログに比べ、情報の処理速度は増すが、発生ノイズは強くなるし、他からのノイズを受けると致命的な誤動作となり易い。そして、高周波化、高速化、回路の高密度化の進展は、電磁波障害の影響を大きくする方向に進んでいる。
【０００４】
もう一つは、センサー、マイコンなど、僅かなノイズにも影響される機器が、至る所に存在するようになったことである。また、エアコンや工作機械に使われるようになったインバーター回路、電源をデジタル化し、小型化する、スイッチ電源も電磁ノイズを倍増する。
【０００５】
携帯電話及び通信システムの発展は、高度に集積された機能を広く社会に普及させ、技術革新が加速度的に進み医療機器やＯＡ機器等の高機能化に伴い、その信頼性、安全性は以前にも増して強く求められている。
【０００６】
このように、現代人は目に見えない電磁波が飛び交っている中で生活をしていると考えられる。因に、一般的に電磁波とは、電界と磁界とが一体化して振動して伝わる波動のことで、放射線（Ｘ線、γ線など）、光（紫外線、赤外線）、電波を総称して云うものである。
【０００７】
また、この電磁波は有用なだけではなく、電子機器等から漏れ出た不要電磁波（電磁ノイズ／電磁妨害波とも呼ばれる）が他の電子機器に入り込んで何らかの機能障害や誤動操作を引き起こしてしまう。これを狭義の電磁波障害というが、最近ではコンピューターなどの情報機器から漏れ出た電磁波をアンテナでキャッチする、透視、盗聴問題や電磁波の人体に及ぼす影響などにも懸念され、社会問題となっている。
【０００８】
従来、斯かる電磁波遮断を必要とする電線には、シールド線を利用したり、実願昭６２−１８１９０号公報に開示されているように、糸の表面に、隣設する金属箔と重ならないように隙間を空けて、螺旋状に巻き付けた糸を複数本合糸したもので、スリーブ状に編組した電磁波シールド用電線被覆材が知られている。
【０００９】
【発明が解決しようとする課題】
確かにこのように作られた電磁波シールド用電線被覆材は、被覆電磁波遮断の径、形状に対する汎用性を持っている。しかしながら、このことは径方向に拡径するということであり、屈曲部等に使用される場合は網目に隙間を生じ、シールド効果は乏しく、信頼性が得られない。
【００１０】
また、糸又は複数本合糸した各々の編組交差部は、物理的にも材料的にも結合状態になっていない。編組交差部が、物理的にも機械的にも結合状態になっていないことが、径、形状に対する汎用性を持ち、径方向に拡径することであり、屈曲部等に使用される場合、隙間を生じ、優れたシールド効果を得ることは不可能となるなどの問題が生じる。
【００１１】
更に、このような電磁波シールド被覆材は、箔厚、箔幅、箔巻回数等の製造工程が煩雑で、経済的効果は期待できない。しかも、図６に示すように、金属線を芯材（パイプ形状のもの）１１の周囲に編組する方法は、芯材１１から金属線１，１…で編組されたスリーブＢを外す時、筒形状を壊したり、変形させたり、予定した筒形状を保持できない。特に、錫メッキ軟銅線、アルミ線のような塑性変形が容易な線材では、筒形状の保持は難しい。
【００１２】
また、シールド効果を上げるためには、金属線１，１…を密に編組する必要があるため、芯材１１と金属線編組スリーブＢとの密着力がより増大し、同スリーブＢを芯材から取り外す際、抵抗が大きくなり不可能である。
【００１３】
仮令、芯材１１を外すことが可能であっても、本来のシールド効果には、芯材１１は不要なもので、外す作業的労費と、外された芯材１１は、ゴミ扱いになり、省資源の考えからも反するものである。しかも、シールド電線は、云うまでもなく電線径毎に用意する必要があり、可撓性、柔軟性にも乏しい。
【００１４】
本発明は、このような従来の問題点に鑑みてなされたもので、芯材を使用することなく高密度に編組できると共に、従来のものに比して保形性、可撓性、柔軟性、及び作業性にも優れた低廉な電磁波シールド用金属線編組スリーブ及びその製造方法を提供することを目的としたものである。
【００１５】
【課題を解決するための手段】
上述の如き従来の問題点を解決し、所期の目的を達成するため本発明の要旨とする構成は、単数若しくは複数の金属線からなる編組交差部を塑性変形せしめたことを特徴とする電磁波シールド用金属線編組スリーブに存する。
【００１６】
また、延いては、前記金属線が、線径φ０．１〜０．３ミリの軟質銅線、錫メッキ軟質銅線、アルミ線又はステンレス線の何れか一種若しくは二種以上の組み合わせで編組されるのが良い。
【００１７】
更に、本発明は、上下動心金を上下動させながらその周りに金属線を編組する工程と、上下動心金のショルダー部を所定のタイミングで金属線の各編組交差部に押圧しながら塑性変形せしめる工程とを有することを特徴とする電磁波シールド用金属線編組スリーブの製造方法に存する。
【００１８】
また、前記上下動心金は、所定径のストレート部と、該ストレート部に小径部を介して連設されたショルダー部とを備えてなるのが良い。
【００１９】
このように構成される本発明の電磁波シールド用金属線編組スリーブ及びその製造方法は、単数若しくは複数の金属線を編組する際、編組交差部が塑性変形されることによって、この編組交差部は（塑性変形を形成した時の）塑性変形応力以上の力が働かない限り、編組交差部は動かない（移動しない）こととなり、芯材（パイプ形状）も不要となる。
【００２０】
ここで、編組交差部を塑性変形させるのは、スリーブを屈曲部等に使用する場合、編組交差部で金属素線又は複数の金属線が各々独立的な動きを生じさせない、すなわち、隙間を生じさせないためであり、優れた電磁波シールド用金属線編組スリーブを提供し得ることとなる。
【００２１】
また、上下動心金を用いることによって、芯材のない金属線編組スリーブが可能となり、ショルダー部が上下動することによって、より密度の高い金属線編組スリーブが可能となる。すなわち、上下動心金のストレート部が芯材の代わりになり、ショルダー部で編組交差部を押圧しながら塑性変形させることとなる。
【００２２】
【発明の実施の形態】
次に、本発明に係る電磁波シールド用金属線編組スリーブの実施の一例を図面を参照しながら説明する。尚、理解を容易にするため、前述した従来例と同一部分は同一符号で示し構成の異なる処のみを新たな番号を付して以下に説明する。
【００２３】
図中Ａは、本発明に係る電磁波シールド用金属線編組スリーブであり、この電磁波シールド用金属線編組スリーブＡは、図１に示すように、金属線１，１…の編組交差部に塑性変形を形成している。
【００２４】
この金属線１，１…としては、例えば、線径φ０．１〜０．３ミリの軟質銅線、錫メッキ軟質銅線、アルミ線又はステンレス線が挙げられるが、用途若しくは必要に応じてこれらの何れか一種若しくは二種以上の組み合わせで編組される。
【００２５】
更に、前記塑性変形は、図２に示すように、大径のストレート部２ａと、該ストレート部２ａの上位にショルダー部２ｂを介して連設された小径部２ｃとを備えてなる上下動心金２を介して形成される。
【００２６】
換言すれば、上下動心金２を所定のタイミングで上下動させながら編組交差部にショルダー部２ｂを押圧せしめ、機械的力をかけながら（以下、単に塑性変形応力という）各交差する素線が独立して動かないように変形させるものであり、斯かる塑性変形応力以上の力が働かない限り、編組交差部の素線が解除方向（解かれる方向）に動くことがない（移動しない）。
【００２７】
以下に、斯かる上下動心金２を使用した電磁波シールド用金属線編組スリーブの製造方法について簡単に説明する。まず、第１工程について説明する。上下動心金２を所定のストローク、タイミングで上下動させながら小径部２ｂの外周面（ストレート部）に金属線１，１…を編組する（図１参照）。
【００２８】
例えば、金属線１，１…の編組交差部を塑性変形させるためには、その組数、打数等で異なるが、金属線１の張力Ｔ：２０〜６０ｇ、上下動心金２のストローク長Ｌ：ｌ２〜１６ｍｍ、同スピード：１〜２回／ｓｅｃ、同タイミング０．５〜２．０ｓｅｃが好ましい。
【００２９】
次に、第２工程について説明する。小径部２ｃの回りに金属線１，１…編組する際、上下動心金２のショルダー部２ｂを上述したタイミングで編組交差部を押圧させながら機械的に塑性変形せしめる（図３参照）。
【００３０】
換言すれば、図３に示すように、上下動心金２が上に移動することでショルダー部２ｂを編組交差部に押圧し、機械的に力を加えながら網目に隙間が無いように、換言すれば、目を細かく詰めながら素線を解き不能状態に塑性変形せしめるものであり、高密度に編組される。
【００３１】
従って、斯かる高密度の塑性変形は、この塑性変形応力以上の力が働かない限り、金属線編組スリーブを屈曲させても、編組交差部は緩んだ状態（網目の粗い状態）に戻ることがないたいめ、仮令、屈曲させた状態で使用しても網目に隙間が生じなく、高密度を維持できるのである。
【００３２】
以下、本発明方法の実施例について具体的に説明する。金属線：錫メッキ軟銅線に掛かる張力Ｔ：２０〜６０ｇ、上下動心金２のストローク長Ｌ：ｌ２〜１６ｍｍ、スピード：１〜２回／ｓｅｃ、タイミング：０．５〜２．０ｓｅｃの条件で、φ０．１２ｍｍの錫メッキ軟銅線を５本組にし（糸の場合、合糸）、打数２４打ち（金属線総数１２０本）の製紐機（図示せず）を使用して、内径１２ｍｍのスリーブを編組する。
【００３３】
尚、錫メッキ軟導線がφ０．１ｍｍ未満では、編組する際、適度な張力が無く錫メッキ軟銅線が切断していることがあり、効率が悪く、また、φ０．３ｍｍ以上では柔軟性が悪く、スリーブに適さない。また、本実施例では、円錐形状の上下動心金２を用いているが、これに限定されることなく、半球状の心金（図示せず）を使用しても良い。
【００３４】
以下、上述した条件で編組した本発明の電磁波シールド用金属線編組スリーブＡについて、電磁波シールド効果の実験結果を表１に示す。この実験はアドバンテスト法にて、６０度の屈曲部電磁波シールド効果を示すものであり、本発明品Ａは、屈曲させた状態で使用しても網目に隙間は生じなく（高密度を維持）、図４の折れ線グラフに示すように、従来品Ｂ（図７参照）の電磁波シールド用金属線編組スリーブに比して優れたシールド効果が得られた。
【表１】
0004142857.tif 000002
【００３５】
このアドバンテスト法（シールド性能測定方法）は、図５に示すように、被測定スリーブ３の中に、同スリーブ３の内径に略等しい塩化ビニールパイプ（図示せず）を介して受信アンテナを組み込んでなる治具４をノイズ測定器とし、外部環境から遮断されている構造をもち、かつ、送信アンテナを内蔵してなるＧＴＥＭセルチャンバー５内に、前記治具４を設置し、同治具４に誘起する高周波電圧を測定し、斯かる治具４に被測定スリーブ３が装着してある時とない時の受信電圧差をもってシールド性能の評価とした。また、本シールド性能の測定には、下表２の機器を使用した。尚、図中６はアッテネータ、７はステップアッテネータ、８は受信器、９は発信器、１０は電力増幅器である。
【表２】
0004142857.tif 000003
【００３６】
尚、本発明に係る電磁波シールド用金属線編組スリーブ及びその製造方法は、本実施例に限定されることなく、本発明の目的の範囲内で自由に設計変更し得るものであり、本発明はそれらの全てを包摂するものである。
【００３７】
例えば、本実施例では、金属線１，１…に錫メッキ軟質銅線を使用しているが、これに限定されることなく、他の線材、例えば、軟質銅線、アルミ線又はステンレス線等を使用しても良いものであり、また、用途や必要に応じてこれら線材を二種以上組み合わせて編組しても良い。
【００３８】
【発明の効果】
本発明は上述のように構成され、単数若しくは複数の金属線を編組する際、編組交差部を塑性変形せしめることによって、仮令、金属線編組スリーブを屈曲させた状態で使用しても網目に隙間が生じなく高密度を維持するため、優れたシールド効果を奏するものである。
【００３９】
また、このように編組した金属線スリーブ内（内径φＤ）には、内径φＤの面積より少ない数だけの電線を同時にシールドでき、電線をかかるスリーブに通すだけで確実に処理でき、配線の引き回しも（直線的でなくて可）簡単になり、必要があれが取り外しも可能である。
【００４０】
このように本発明の電磁波シールド用金属線編組スリーブ及びその製造方法は、芯材を使用することなく高密度のスリーブに編組できると共に、従来のものに比して保形性、可撓性、柔軟性、及び作業性にも優れた低廉な電磁波シールド用金属線編組スリーブを提供できるものであり、また、構成が単純であるため、大量生産に適し、価格も低廉なものとして需要者に供給できる等、本発明を実施することはその実益的価値が甚だ大である。
【図面の簡単な説明】
【図１】本発明に係る電磁波シールド用金属線編組スリーブの製造方法を示す要部説明図である。
【図２】本実施例で使用する上下動心金を示す説明図である。
【図３】同上下動心金を上位に移動（アップ）させショルダー部で編組交差部を押圧している状態を示す説明図である。
【図４】本発明の電磁波シールド用金属線編組スリーブと従来品との電磁波シールド効果を示す折線グラフである。
【図５】本発明に係る電磁波シールド用金属線編組スリーブのシールド性能測定方法を示す説明図である。
【図６】芯材を使用した従来の電磁波シールド用金属線編組スリーブの製造方法を示す要部説明図である。
【図７】従来の電磁波シールド用金属線編組スリーブを示す正面図である。
【符号の説明】
Ａ  本発明品を示す電磁波シールド用金属線編組スリーブ
Ｂ  従来品を示す電磁波シールド用金属線編組スリーブ
１  金属線
２  上下動心金
２ａ  ストレート部
２ｂ  ショルダー部
２ｃ  小径部
３  測定スリーブ
４  治具
５  ＧＴＥＭセルチャンバー
６  アッテネータ
７  ステップアッテネータ
８  受信器
９  発信器
１０  電力増幅器
１１  芯材
【図１】
0004142857.tif 000004
【図２】
0004142857.tif 000005
【図３】
0004142857.tif 000006
【図４】
0004142857.tif 000007
【図５】
0004142857.tif 000008
【図６】
0004142857.tif 000009
【図７】
0004142857.tif 000010